(57)【特許請求の範囲】
【請求項１】
表裏両面に粘着剤が付着された所定の大きさの可撓性面状部材の片方の面にネット状部材が貼着され、このネット面と反対側の粘着剤面にかつら台材を固着することを特徴とするかつら止着用部材。
【請求項２】
表裏両面に粘着剤が付着された所定の大きさの可撓性面状部材の片方の面にネット状部材が貼着され、かつら装着者の自毛を挿通し掛止するための糸状体が前記ネット状部材上に付設され、このネット面と反対側の粘着剤面にかつら台材を固着することを特徴とする請求項１に記載のかつら止着用部材。
【請求項３】
かつら止着用部材のかつら台材への取付け方法において、表裏両面に粘着剤が付着された可撓性面状部材の片方の面にネット状部材が貼着されてなるかつら止着用部材を前記可撓性面状部材の他方の粘着剤付着面側においてかつら台材の頭部側に貼着し、この貼着された前記かつら止着用部材の周縁部を前記かつら台材に固着させて前記かつら止着用部材を固定させることを特微とするかつら止着用部材のかつら台材への取付け方法。
【請求項４】
かつらの頭部への止着方法において、表裏両面に粘着剤が付着された可撓性面状部材の片方の面にネット状部材が貼着されてなるかつら止着用部材が前記可撓性面状部材の他方の粘着剤付着面側でかつら台材の頭部側に取付けられたかつらにおいて、
前記ネット状部材上に塗布した接着剤が未固化状態でかつら装着者の頭部に載せて自毛と係合させ、次いで前記接着剤を固化させてかつらを自毛に固定させることを特徴とするかつらの止着方法。
【請求項５】
かつらの頭部への止着方法において、表裏両面に粘着剤が付着された可撓性面状部材の片方の面にネット状部材が貼着されてなり、且つ当該ネット状部材上にかつら装着者の自毛を挿通し掛止するための糸状体が付設されてなるかつら止着用部材が前記可撓性面状部材の他方の粘着剤付着面側でかつら台材の頭部側に取付け、これを装着者の頭部に載せ、次いで当該かつら台材の周縁部近傍の自毛を前記糸状体と前記ネット状部材の間に挿通した後、前記糸状体に掛止し折り返して前記かつら台材の周縁部外側に引き出し、次いで当該挿通し掛止した箇所に接着剤を塗布し固化させてかつらを自毛に固定させることを特徴とするかつらの止着方法。
【発明の詳細な説明】
【０００１】
【発明の属する技術分野】
本発明はかつらを頭部に止着するためのかつら止着用部材、並びに当該かつら止着用部材のかつら台材への取付け方法、並びにかつらの頭部への止着方法に関する。
【０００２】
【従来の技術】
従来、かつらの頭部への止着方法としては、以下のような手法があった。
従来方法その１として、一般的にはかつらをヘアピン或は櫛歯を有するかつら用ストッパーで自毛（かつら装着者自身の頭髪）を挟持してかつらを止着する方法がある。また、従来方法のその２としては、実開平２−３２３号公報に記載されるように、かつらを取付ける脱毛部分の周辺に配置したネット状基布にカギ針を用いて自毛を結び付け、かつらの裏面とネット状基布とを接着剤で接着してかつらを止着する方法が開示され、実開平５−６６０１２号公報には毛髪が植毛された糸状保持材で形成したネット本体部の周辺に設けたネット止着部に自毛を結び付けることが開示されている。かつら台材の裏面の縁部に粘着剤が付着された両面テープを貼付しその粘着力で自毛又は頭皮に直接固定しかつらを止着する方法などが知られている。さらに、従来方法その３として、かつら台材の裏面に縁部に毛髪用接着剤を塗布しかつらを自毛に固定してかつらを止着する方法がある。
【０００３】
しかし上記の方法にはいずれも解決すべき問題点があった。
即ち、ヘアピン等でかつらを自毛に止着する方法（前記その１）においては、かつらの着脱は容易であるがヘアピンやストッパーにある程度の厚みがあるためかつら止着箇所に嵩張りが生じ、長期間の装着に違和感が生じる場合があった。
【０００４】
前記実開平２−３２３号公報等に記載されるように頭皮に直接接着剤を塗布する方法では頭皮から出る汗や脂肪によって薄利し易い。また、両面テープを使用してかつらを自毛に止着する方法においては、かつらの着脱が容易でかつら止着箇所の嵩張りも生じないが、両面テープの粘着力が弱いために剥離しやすいので長期間の装着には無理があった。更に、この方法においてはかつら台材の裏面に対する粘着剤の粘着力がそれほど強力でないため、かつら台材からかつらが剥離する場合もあった。
【０００５】
また、接着剤を塗布する方法（前記その３）においては、塗布された接着剤がかつらに圧迫されて必要以上に広範囲に広がり頭皮や毛根に影響が生じる懸念もあった。また、接着剤によるかつら台材の変形や変色の恐れがあり、さらに、この方法においては、かつらを再装着するときに付着している接着剤固化物をかつら台材から剥離し除去する必要があるが、その際にかつら台材を損傷させてしまう問題点もあった。
【０００６】
【発明が解決しようとする課題】
本発明は、上記従来のかつら止着方法における各問題点を総合的に解決するために為されたものであり、その目的とするところは、かつらを自毛に止着する箇所が嵩張らず長期間の装着においても違和感が生じず、また、長期間確実に止着でき、頭皮や毛根に影響が生じる懸念が無いかつら止着用部材並びにかつらの止着方法を提供することにある。
また、従来の止着部材に比べてかつらの止着力が強化され、かつ頭部からの取り外しが簡単かつ短時間で済み、しかも取り外し箇所が奇麗であり、さらに、かつら台材を損傷、変形、変色させずに取付け可能なかつら止着用部材を提供することにある。
【０００７】
【課題を解決するための手段】
要するに本発明のかつら止着用部材（請求項１）は、「表裏両面に粘着剤が付着された可撓性面状部材の片方の面にネット状部材が貼着され、このネット面と反対側の粘着剤面にかつら台材を固着することを特徴とするかつら止着用部材」である。また、「かつら装着者の自毛を挿通し掛止するための糸状体が前記ネット状部材上に付設され、このネット面と反対側の粘着剤面にかつら台材を固着する」ことを特徴とする（請求項２）。
【０００８】
また、本発明のかつら止着用部材のかつら台材への取付け方法（請求項３）は、「かつら止着用部材のかつら台材への取付け方法において、表裏両面に粘着剤が付着された可撓性面状部材の片方の面にネット状部材が貼着されてなるかつら止着用部材が前記可撓性面状部材の他方の粘着剤付着面側においてかつら台材の頭部側に貼着し、次いで貼着された前記かつら止着用部材の周縁部を前記かつら台材に固着させて前記かつら止着用部材を固定させることを特徴とするかつら止着用部材のかつら台材への取付け方法」である。
【０００９】
また、本発明のかつらの止着方法（請求項４）は、「かつらの頭部への止着方法において、表裏両面に粘着剤が付着された可撓性面状部材の片方の面にネット状部材が貼着されてなるかつら止着用部材が前記可撓性面状部材の他方の粘着剤付着面側でかつら台材の頭部側に取付けられたかつらにおいて、前記ネット状部材上に塗布した接着剤が未固化状態でかつら装着者の頭部に載せて自毛と係合させ、次いで前記接着剤を固化させてかつらを自毛に固定させることを特徴とするかつらの止着方法」である。
【００１０】
また、本発明のかつらの止着方法（請求項５）は、「かつらの頭部への止着方法において、表裏両面に粘着剤が付着された可撓性面状部材の片方の面にネット状部材が貼着されてなり且つ当該ネット状部材上にかつら装着者の自毛を挿通し掛止するための糸状体が付設されてなるかつら止着用部材が前記可撓性面状部材の他方の粘着剤付着面側においてかつら台材の頭部側に取付けられたかつらを装着者の頭部に載せ、次いで当該かつら台材の周縁部近傍の自毛を前記糸状体と前記ネット状部材の間に挿通した後、前記糸状体に掛止し折り返してかつら台材の周縁部外側に引き出し、次いで当該挿通し掛止した箇所に接着剤を塗布し固化させてかつらを自毛に固定させることを特徴とするかつらの止着方法」である。
【００１１】
【発明の実施の形態】
（１）かつら止着用部材
以下本発明を図面に示す実施例に基づいて説明する。
図１及び図２は本発明に係るかつら止着用部材を示す（以下、実施例１）。
図１（ａ）はかつら止着用部材の斜視図であり、図１（ｂ）は図１（ａ）におけるＡ−Ａ拡大断面図である。
また、図２はかつら止着用部材の斜視図である。
【００１２】
図１において、かつら止着用部材１は、両面に粘着剤（２１ａ、２１ｂ）が付着された可撓性面状部材２の片方の面にネット状部材３が貼着されてなるものである。即ち、かつら止着用部材１は、図１（ｂ）に示すように、粘着剤２１ｂの層／可撓性面状部材２の層／粘着剤２１ａの層／ネット状部材３の４層からなる積層部材である。
【００１３】
可撓性面状部材２は、可撓性がある面状の部材、即ち、長さ及び幅に比べて厚さが小さな部材であり、素材としてプラスチック、例えばポリエチレン、ポリプロピレンや塩化ビニル等の透明又は半透明状の合成樹脂を可撓性のある極薄のフィルム又は薄手のシートに成形したものが好ましい。
当該可撓性面状部材２の表裏両面にアクリル樹脂等の樹脂やゴムを主剤とする粘着剤が付着され、粘着剤２１ａの層と２１ｂの層とが設けられている。
【００１４】
なお、図２に示すように、当該かつら止着用部材１の使用前は最外層の粘着剤２１ｂの層の外側に、さらにフィルム又はシート状の保護部材２２を貼付して粘着剤の脱落や塵・埃の付着を防止することが好ましい。この場合にはかつら止着用部材１は、保護部材２２の層／粘着剤２１ｂの層／可撓性面状部材２の層／粘着剤２１ａの層／ネット状部材３の５層からなる積層部材となる。
【００１５】
かかる保護部材２２は、かつら止着用部材１を使用する際に粘着剤２１ｂの層から剥離し易いプラスチック製、中でもポリプロピレン製又はポリエチレン製のフィルム又はシートが好ましく、また、図２に示すように、かつら止着用部材の使用時に剥離し易くして作業性を向上するために、保護部材２２に直線状の切れ込みである欠切２２ａと２２ｂが設けられていることが好ましい。
【００１６】
ネット状部材３は、網目の模様が縦横の格子状（四角形）、蜂の巣状（六角形）、或は複雑なレース模様等の各種網目地のものを使用できる。網目の大きさは、ネットが頭皮に当たったときの感触の良さ並びにネットに接着剤が上手く絡まり自毛との付着性向上の観点から、網目の細かいネットが好ましい。
具体的には、網目数が１平方インチ当たり７０〜１２０メッシュのものが好適に使用されるが、特に、９０メッシュ程度で、ネット状部材が厚くならないようにネットを構成する糸径が３０〜５０デニールのものが好ましい。
【００１７】
かかるネット状部材３は薄地なので前記可撓性面状部材２に貼着するとその下面の粘着剤２１ａが網目の間からネット部材３の表面に浮き出てくる。従って、このネット部材３の表面に自毛が接触した場合、浮き出た粘着剤により自毛が絡まって付着し易くなり、かつらを自毛に止着する際の作業がより簡便となる。
かかるネット状部材３はその表裏いずれか一方の面が、粘着剤２１ａを介してその粘着力により可撓性面状部材２に貼着され固定されるが、より強固に固定するためにさらに縫着しても良い。
【００１８】
このかつら止着用部材１は、かつら台材の裏面に取付けられるが、その形態としてはかつら台材の裏面全周囲にわたる長尺のテープ状に成形しても良く、また、小片状（ピース状）に成形して複数個をかつら台材裏面に並べて取付けても良い。
【００１９】
なお、可撓性面状部材２又はネット状部材３を成形加工する際に、頭皮の肌色や頭髪の黒色に合わせた着色剤を添加して外部から目立つことがないようにすることもできる。
【００２０】
図３及び図４は、本発明に係るかつら止着用部材の上記実施例１とは別の実施例を示す（以下、実施例２）。
図３（ａ）はかつら止着用部材の斜視図であり、図３（ｂ）は図３（ａ）におけるＡ−Ａ拡大断面図、図３（ｃ）は図３（ａ）におけるＢ−Ｂ拡大断面図である。
【００２１】
この実施例２は、前記実施例１におけるかつら止着用部材１において、ネット状部材３上にさらにかつら装着者の自毛を挿通し掛止するための糸状体４が付設されてなるものである。従って、糸状体４が付設されている以外は、前記実施例１と同様の態様であり、かつら止着用部材１は、両面に粘着剤（２１ａ、２１ｂ）が付着された可撓性面状部材２の片方の面にネット状部材３が貼着されてなるものである。即ち、かつら止着用部材１は、図３（ｂ）と（ｃ）に示すように、粘着剤２１ｂの層／可撓性面状部材２の層／粘着剤２１ａの層／ネット状部材３の４層からなる積層部材に糸状体４が付設されたものであり、その構成部材である可撓性面状部材２、粘着剤（２１ａ、２１ｂ）、ネット状部材３は前記実施例１と同様のものを使用する。
【００２２】
なお、本実施例２においても、前記実施例１と同様に、図４に示すように、当該かつら止着用部材１の使用前は最外層の粘着剤２１ｂの層の外側に、さらにフィルム又はシート状の保護部材２２を貼付して粘着剤の脱落や塵・埃の付着を防止することが好ましい。この場合にはかつら止着用部材１は、保護部材２２の層／粘着剤２１ｂの層／可撓性面状部材２の層／粘着剤２１ａの層／ネット状部材３の５層からなる積層部材となる。
【００２３】
かかる保護部材２２は、かつら止着用部材１を使用する際に粘着剤２１ｂの層から剥離し易いプラスチック製、中でもポリプロピレン製又はポリエチレン製のフィルム又はシートが好ましく、また、図４に示すように、かつら止着用部材１の使用時に剥離し易くして作業性を向上するために保護部材２２に直線状の切れ込みである欠切２２ａと２２ｂが設けられていることが好ましい。
【００２４】
糸状体４は、木綿、麻等の植物繊維、ナイロン、ポリウレタン、ポリエステル等の合成繊維、羊毛等の動物繊維を撚ったものや、単に束ねただけのもの或は太めの繊維単体であり、ネット状部材３上にその両端４１で止着され、その中間部は止着されずに自由であり自毛を挿通し掛止することができる。
【００２５】
糸状体４のネット部材３上への付設方法としては、本実施例の図３（ｃ）に示すように、各々１本の長糸を使用してその両端４１で止着用部材１の粘着剤２１ｂ付着面側に貫通させ同面側で結ぶ方法が簡便である。
なお、図３に示す実施例においては、糸状体４はその両端４１でネット状部材３に止着されているが、自毛を挿通し掛止できる自由な部分を有していれば両端４１以外にその中間部に止着箇所が設けられていても良い。
【００２６】
かかる糸状体４は、１又は２本以上がネット状部材３上に付設されるが、かつらを装着者の頭部に止着する際に自毛を挿通し掛止するために使用され、さらに自毛を掛止した後に毛髪用接着剤で固定するので複数本を配した方が掛止作業並びに接着剤の塗布作業が容易となるので好適である。
図３において糸状体４は２本ほぼ平行状に配置されているが、平行状でなく撚糸状に束ねても良い。
【００２７】
（２）かつら止着用部材のかつら台材への取付け方法
前述した本発明に係るかつら止着用部材のかつら台材への取付け方法は、以下のとおりである。
図５は一例としてのかつら台材の裏面の一部を示す平面図である。すなわち、図５においては中央部がネットで周縁部が可撓性シート状のかつら台材を示すが、本発明に係るかつら止着用部材はこのような形状のかつら台材に限定されず、全体がポリウレタンや不織布からなる可撓性シート状のかつら台材、或は全体がネットからなるかつら台材或はこれらの組み合わせにも広く適用可能である。
【００２８】
また図５においては、止着用部材１がかつら台材の周縁部に取付けられているが、かつら止着用部材１がネット状部材に糸状体が付設されていないタイプである場合には、周縁部に限らず中央部に取付けても良い。
【００２９】
図５において、まずかつら止着用部材１のネット状部材が貼着された面の反対側の粘着剤（２１ｂ）付着面を保護する保護部材（図示せず）を剥してかつら台材５の裏面の周縁部５１に貼着する。即ち、ネット状部材が表面になるように取付ける。止着用部材１は粘着剤２１ｂによって容易にかつら台材５の裏面の周縁部５１に貼着される。
【００３０】
次に、かつら止着用部材１をかつら台材５の裏面（頭部側）の周縁部５１に接着剤を使用して又は縫着して固着させるが、かつら台材５の損傷防止の観点からこのかつら台材５の周縁部５１においてかつら止着用部材１の周縁部、すなわち境界部１５で固着させることが好適であり、その手段としては接着剤を境界部１５に塗布する方法や、かつら台材５が樹脂製のときは同樹脂を溶剤で溶かした樹脂溶液を塗布し溶剤を揮発させて固化させる方法が挙げられる。
【００３１】
かつら止着用部材１は粘着剤により貼着されているが、強固に固定するために剥離し易い境界部１５（かつら止着用部材の周縁部）で固着してある。この場合粘着剤との併用により、かつら台材５との境界部１５の狭小な箇所にだけ前記接着剤や樹脂溶液を塗布すれば充分であり、従って、接着剤や樹脂溶液によるかつら台材５の溶解（損傷）を最小限に抑えることが可能となるのである。
なお、かつら止着用部材１がネット状部材３に糸状体４が付設されているタイプである場合には、自毛を相通し掛止する都合上、糸状体４がかつら台材５の周縁部５１とほぼ平行になるように取付けることが好ましい。
【００３２】
通常、かつら台材５の裏面の頭部接触面である周縁部５１は、ポリウレタンを基材とした人工皮膚で形成されているが、このようにかつら台材５の周縁部５１がポリウレタン製である場合のかつら止着用部材１のかつら台材５への固着に使用する樹脂溶液としては、ポリウレタンをジメチルホルムアミド（ＤＭＦ）とメチルエチルケトン（ＭＥＫ）との混合溶液（溶剤）に溶解させたものを使用することが好ましい。
なお、かつら止着用部材１が小片状の場合、かつら台材５の裏面に取付けるかつら止着用部材１の個数は、かつら台材５の大きさ等に依拠して適宜設定する。
【００３３】
（３）かつらの頭部への止着方法
前述したかつら台材５の裏面にかつら止着用部材１が取付けられたかつらの頭部への止着方法は以下のとおりである。
（ｉ）ネット状部材上に自毛を挿通し掛止するための糸状体が付設されていないかつら止着用部材（前記実施例１の態様）の場合
図６の（ａ）と（ｂ）は上記かつら止着用部材を使用してかつらを頭部に止着する状況を示した概略説明図である。
【００３４】
図６（ａ）に示すように、かつら６におけるかつら台材５の裏面に取付けたかつら止着用部材１のネット状部材３上に毛髪用接着剤９を塗布する。
なお、接着剤９としては、ラテックス系、シリコン系、エポキシ系又はポリウレタン系等の毛髪用接着剤が使用されるが、中でもラテックス系の水性エマルジョンが好ましい。
【００３５】
次いで、図６（ｂ）に示すように、接着剤９が未固化状態、好ましくは半固化状態でかつら６を装着者の頭部に載せて接着剤９を自毛７に係合、付着させた後、接着剤９を完全若しくはほぼ完全に固化させかつら６を止着する。
接着剤９は、自毛７とネット状部材３の細かな網目の隅々まで行き渡り、特に網目に入り込むので表面が平滑な部材を使用した場合に比べ、いわゆるアンカー効果（投錨効果）的な作用によってより強固な接着効果が得られる。
【００３６】
（ii）ネット状部材に自毛を挿通し掛止するための糸状体が付設されたかつら止着用部材（前記実施例２の態様）の場合
図７の（ａ）〜（ｃ）は上記かつら止着用部材を使用してかつらを頭部に止着する状況を示した概略説明図である。また、図８は図７（ｃ）における自毛を挿通し掛止する箇所の部分拡大図である。
図７（ａ）に示すように、まず、かつら６を装着者の頭部に載せる。
【００３７】
次いで、図７（ｂ）に示すように、先端にフックが付いた操作棒８をネット状部材３と糸状体４の隙間に挿入してかつら台材５の周縁部近傍の自毛７、好ましくは当該自毛７のうちかつら台材５の周縁部外側の自毛７１をフックに引っ掛けた後に、フックをネット状部材３に引き上げることによりネット状部材３と糸状体４との間に自毛を挿通させる。
ネット状部材３の表面にはその下面の粘着剤が浮き出ているので自毛（７又は７１）はネット状部材３に付着し易くなっている。
【００３８】
次に、図７（ｃ）に示すように、挿通した自毛を糸状体４に掛止して折り返し、再びかつら台材５の周縁部外側に引き出し、次いで当該挿通し掛止した箇所、すなわちネット状部材３と糸状体４と自毛（７又は７１）の３者が会する箇所、に接着剤９を塗布し固化させてかつらを止着する。
【００３９】
挿通し掛止した箇所に塗布された接着剤９は、自毛（７又は７１）と糸状体４とネット状部材３の細かな網目の隅々まで行き渡り、特に網目に入り込むので表面が平滑な部材を使用した場合に比べ、いわゆるアンカー効果（投錨効果）的な作用によってより強固な接着効果が得られる。
なお、前記実施例と同様に、接着剤９としては、ラテックス系、シリコン系、エポキシ系又はポリウレタン系等の毛髪用接着剤が使用されるが、中でもラテックス系の水性エマルジョンが好ましい。
【００４０】
図８に示すように、かつら台材５の周縁部近傍の自毛７のうち周縁部外側の自毛７１のみをネット状部材３上に引き上げてかつら６の止着用に使用することが好ましい。というのは、自毛７は下向き（頭頂部から頭側部に向かう方向）に生えているので、周縁部外側の自毛７１のみを引き上げて糸状体４に掛止し、自毛が生えている下向きの方向に折り返してかつら周縁部外側に引き出せば、自毛の生える方向に逆らうことがなく、かつら６の浮き上がりを防止できるからである。
【００４１】
【発明の効果】
（１）本発明に係るかつら止着用部材は、ともに薄地の可撓性面状部材とネット状部材とから構成されており、かつらを自毛に固定し頭部に止着する箇所が嵩張らず長期間装着においても違和感が生じない。
【００４２】
（２）本発明に係るかつら止着用部材は、自毛を接着剤で固定しかつらが止着されるので長時間確実に止着できる。また、自毛を挿通し掛止する糸状体を付設すれば、一層強固に止着できる。
【００４３】
（３）本発明に係るかつら止着用部材は、自毛を接着剤で固定し止着する側がネット状部材であるので、接着剤は、自毛と（糸状体と）ネット状部材の細かな網目の隅々まで行き渡り、特に網目に入り込むので前述したように表面が平滑な部材を使用した場合に比べ、いわゆるアンカー効果（投錨効果）的な作用によって強固に接着できる。また、ネット状部材として網目が細かく薄地のものを使用すれば頭皮に接触した場合の触感に優れる。
また、従来の止着部材に比べてかつらの止着力が強化され、かつ頭部からの取り外しが簡単かつ短時間で済み、しかも取り外し箇所が奇麗である。
【００４４】
（４）本発明に係るかつら止着用部材と自毛とを接着剤で固定しかつらを止着する際に接着剤はネット状部材の面以外には広がることはないので、頭皮や毛根に影響が生じる懸念が無い。
【００４５】
（５）本発明に係るかつら止着用部材は、自毛が付着するネット状部材の下面が粘着剤層であるので粘着剤がネット状部材表面に浮き出ており、そのため自毛が付着し易いのでかつらの止着作業がいっそう簡便となる。
【００４６】
（６）本発明に係るかつらの止着方法によれば、前記本発明に係るかつら止着用部材を使用するので前述のように装着感に優れ、かつ強固に止着されるので長期間の装着でも外れることがなく、また、装着したままで頭髪をシャンプーすることが可能となる。
また、かつら台材の周縁部近傍の自毛のうち周縁部外側の自毛のみをかつら止着用部材に引き上げて固定し、次いで自毛の生えている下向きの方向に折り返してかつら周縁部外側に引き出せば、さらにかつらの浮き上がり防止を図ることが可能となる。
【００４７】
（７）本発明に係るかつら止着用部材のかつら台材への取付け方法は、前記本発明に係るかつら止着用部材が粘着剤が塗布された可撓性面状部材を使用しているので、かつら止着用部材をかつら台材との境界部だけで固着させればよいので、接着剤等によるかつら台材の損傷、変形、変色を最小限に防止することができる。
【図面の簡単な説明】
【図１】本発明におけるかつら止着用部材を示し、図１（ａ）はかつら止着用部材の斜視図であり、図１（ｂ）は図１（ａ）におけるＡ−Ａ拡大断面図である。
【図２】本発明におけるかつら止着用部材の斜視図である。
【図３】本発明におけるかつら止着用部材を示し、図３（ａ）はかつら止着用部材の斜視図であり、図３（ｂ）は図３（ａ）におけるＡ−Ａ拡大断面図、図３（ｃ）は図３（ａ）におけるＢ−Ｂ拡大断面図である。
【図４】本発明におけるかつら止着用部材の斜視図である。
【図５】かつら台材の裏面の一部を示す平面図である。
【図６】かつらを頭部に止着する状況を示した概略説明図である。
【図７】かつらを頭部に止着する状況を示した概略説明図である。
【図８】図７（ｃ）における自毛を挿通し掛止する箇所の部分拡大図である。
【符号の説明】
１      かつら止着用部材
２      可撓性面状部材
３      ネット状部材
４      糸状体
５      かつら台材
６      かつら
７      自毛
８      先端にフックが付いた操作棒
９      接着剤
１５    かつら止着用部材とかつら台材の裏面の周縁部との境界部
２１ａ  粘着剤
２１ｂ  粘着剤
２２    保護部材
２２ａ  欠切
２２ｂ  欠切
４１    糸状体の端
５１    かつら台材の裏面の周縁部
７１    かつら台材の周辺部外側の自毛
【図１】
0003866831.tif 000002
【図２】
0003866831.tif 000003
【図３】
0003866831.tif 000004
【図４】
0003866831.tif 000005
【図５】
0003866831.tif 000006
【図６】
0003866831.tif 000007
【図７】
0003866831.tif 000008
【図８】
0003866831.tif 000009